(57)【要約】【課題】  電子機器のシャーシに複数本のケーブルが接することなく、又ダブ付くことなく収容出来る固定具の提供。【解決手段】  開閉する蓋２の一方側にはシャーシ６に設けた穴７ａに係合する係合部３を設け、蓋２の他方側にはシャーシ６に設けた穴７ｂに係止する係止部４を設け、そして上記蓋２の内側には複数本のピン５，５・・をシャーシ側へ延ばして縦・横方向に配列している。【選択図】    図１
2008086116.tif 000002
【特許請求の範囲】
【請求項１】
電子機器のシャーシに取付けてケーブルを収容する為の固定具において、開閉する蓋の一方側にはシャーシに設けた穴に係合する係合部を設け、蓋の他方側にはシャーシに設けた穴に係止する係止部を設け、そして上記蓋の内側には複数本のピンをシャーシ側へ延ばして縦・横方向に配列したことを特徴とするケーブルの固定具。
【請求項２】
電子機器のシャーシに取付けてケーブルを収容する為の固定具において、ベースの一方側には肉厚を薄くした継手部を介して蓋を開閉可能に設け、ベースの他方側には蓋を閉じた際に互いに係合するツメを設け、そして上記ベースの一方側にはシャーシの穴に係合する係合部を、又ベースの他方側にはシャーシの穴に係止する係止部を形成し、上記ベースから複数本のピンを起立し、これらピンは縦・横方向に配列したことを特徴とするケーブルの固定具。
【請求項３】
上記シャーシの穴に係合する係合部を概略Ｌ形とし、シャーシの穴に係止する係止部を概略Ｕ形とし、そして、Ｕ形係止部の係止片が撓み変形出来るように底には薄肉部を形成し、穴の縁に係止するツメを突出した請求項１、又は請求項２記載のケーブルの固定具。
【請求項４】
回路基板や電子部品に接続されるケーブルがバラ付かないようにする為のケーブルの固定具をシャーシに取付けた電子機器において、上記固定具は、開閉する蓋の一方側に設けた係合部をシャーシの穴に係合し、蓋の他方側には係止部を形成してシャーシに設けた穴に係止し、そして上記蓋の内側には複数本のピンをシャーシ側へ延ばして縦・横方向に配列し、上記のケーブルを各ピンの間を通して収容したことを特徴とする固定具を備えた電子機器。
【請求項５】
回路基板や電子部品に接続されるケーブルがバラ付かないようにする為のケーブルの固定具をシャーシに取付けた電子機器において、上記固定具は、ベースの一方側に肉厚を薄くした継手部を介して蓋を開閉可能に設け、ベースの他方側には蓋を閉じた際に互いに係合するツメを設け、そして上記ベースの一方側に設けた係合部をシャーシの穴に係合し、又ベースの他方側に設けた係止部をシャーシの穴に係止し、上記ベースから複数本のピンを起立すると共にこれらピンは縦・横方向に配列し、そして、上記のケーブルを各ピンの間を通して収容したことを特徴とする固定具を備えた電子機器。
【請求項６】
上記シャーシの穴に係合する係合部を概略Ｌ形とし、シャーシの穴に係止する係止部を概略Ｕ形とし、そして、Ｕ形係止部の係止片が撓み変形出来るように底には薄肉部を形成し、穴の縁に係止するツメを突出した請求項４、又は請求項５記載の固定具を備えた電子機器。
【発明の詳細な説明】
【技術分野】
【０００１】
本発明は電子機器のシャーシにケーブルが位置ズレしないように、又ケーブルがダブ付かないように収容する為の固定具に関するものである。
【背景技術】
【０００２】
電子機器と言ってもその種類は無数に存在しているが、一般的な電子機器を組み立てる場合には、ベースとなるシャーシの上に回路基板が取付けられ、該回路基板には多数の各種電子部品が装着される。そして、各回路基板からは多数のケーブルが導き出され、これかケーブルが煩雑化しないようにバンドで結束したり、又は固定具を介してシャーシに固定される。
【０００３】
特開２００４−２３９３２５号に係る「固定具」は、シャーシに装着した固定具をシャーシの表面側から取り外すことを可能にしたものである。そこで、シャーシに対してフラットケーブルを保持させるクランプ部と、クランプ部をシャーシに固定するための嵌合部とを備える固定具であって、嵌合部はベースの底面に突出され、シャーシの嵌合穴の内縁部に一方向から嵌合して内縁部を挟持する挟持片と、ベースの底面に突出され、シャーシに設けられた係止穴の内縁部に係合して反対方向への移動を係止する係止体とを備えている。そして、係止体を係止穴との係合から解除し、ベースを反対方向にスライドすることで挟持片を嵌合穴から引き出すことで取り外しが可能に成っている。
しかし、この固定具はあくまでもフラットケーブルを対象としたものである。
【０００４】
特開平１１−１２２７５８号に係る「ケーブル保持具」は、ケーブルに不要な押圧力を与えることなく、保持したケーブルの脱落やずれを防止するケーブル保持具である。そこで、複数のケーブルＣを整列保持するベース部材には、配列方向Ｙに沿った一方の端辺から配線方向Ｘの中心に到る幅を有する複数の仕切突起が櫛歯状に突設され、このベース部材にヒンジを介して揺動可能に連結されたアーム部材には、アーム部材をベース部材に重ね合わせた時に、仕切突起が形成されていないケーブル載置面に対して、ケーブルＣの直径より小さい間隙を空けて対向するスポンジが取り付けられている。そして、仕切突起の間にケーブルＣを挿入し、ベース部材にアーム部材を重ね合わせると、ケーブル載置面上にてケーブルＣがスポンジにより押圧保持される。
【０００５】
この他にもケーブルを固定する固定具に関する文献としては、特開２００１−６９６４７号に係る「ケーブル保持具」が知られている。
【特許文献１】特開２００４−２３９３２５号に係る「固定具」
【特許文献２】特開平１１−１２２７５８号に係る「ケーブル保持具」
【特許文献３】特開２００１−６９６４７号に係る「ケーブル保持具」
【発明の開示】
【発明が解決しようとする課題】
【０００６】
このように、電子機器のケーブルをシャーシに固定する為の固定具は色々知られている。本発明はシャーシに取付けて、複数本のケーブルが接触したりダブ付いたりすることなく収容される固定具、及び該固定具を備えた電子機器を提供する。
【課題を解決するための手段】
【０００７】
本発明に係るケーブル固定具は電子機器のベースとなるシャーシに取付けられ、該シャーシとの間に複数本のケーブルを挟み込んで固定することが出来る形態としている。そこで、固定具は開閉蓋を有し、一方側にはシャーシに設けた穴に係合する係合部が形成され、他方側には係止部が設けられている。係止部はシャーシの穴に着脱可能に係止可能とし、蓋を開いてケーブルを収容することが出来る。蓋は係合部を中心として開閉可能とし、該蓋の内側には縦・横方向に配列した複数本のピンが下方へ延びている。
【０００８】
一方、固定具にベースを設け、該ベースに継手部を介して上記蓋を開閉可能に設けることもある。この場合には、上記ベースがシャーシに取付けられる為に、ベースの一方側には係合部を設け、他方側には係止部を有している。そしてピンはベースから起立したり又は蓋からベース側へ延ばすことが出来、これら複数本のピンは縦・横方向に配列している。
【発明の効果】
【０００９】
本発明に係る固定具はシャーシに着脱可能な状態で取付けられ、蓋を開いて複数本のケーブルを収容することが出来る。そして、収容されたケーブルは一箇所に片寄ることなく各ピンの間に嵌って均等に分散状態で収容される。又、単にピンの間に通して収容されるのみならず、比較的長いケーブルは各ピンに係止してジグザグ状態に収容することが出来、ケーブルのダブ付きを防止できる。
【実施例】
【００１０】
図１は本発明に係る固定具１を表している実施例であり、同図の２は蓋、３は係合部、４は係止部を示している。該固定具１は樹脂の成形品であって、蓋２の内側には複数のピン５，５・・が延び、これら各ピン５，５・・は縦・横方向に配列している。そして、蓋２の一方側には概略Ｌ形をした上記係合部３，３が両側に設けられ、蓋２の他方側には概略Ｕ形をした上記係止部４，４が形成されている。
【００１１】
この固定具１は電子機器のシャーシに取付けられるが、該シャーシには穴が貫通して設けられ、これら穴に係合部３，３が係合し、係止部４，４が係止して取付けられる。図２は該固定具１をシャーシ６に取付けた場合を表しているが、シャーシ６には穴７ａ，７ｂ・・が設けられ、これら穴７ａ，７ｂ・・に係合部３，３が係合し、及び係止部４，４が係止して取付けられる。
【００１２】
穴７ａ，７ａにＬ形の係合部３，３を係合した状態で係止部４，４を穴７ｂ，７ｂに係止するが、概略Ｕ形の係止部４，４は係止片８を蓋側へ撓ませて穴７ｂ，７ｂに係止することが出来る。図２は係合部３，３が穴７ａ，７ａに係合し、係止部４，４が穴７ｂ、７ｂに係止して固定具１がシャーシ６に取付けられている状態である。そして、係止部４，４の底部にはツメ９，９が形成されていて、該ツメ９，９は穴７ｂ，７ｂの縁に係止して外れないようになる。
【００１３】
図２は固定具１をシャーシ６に取付けた状態でケーブルは収容されていないが、シャーシの上に配置される各種ケーブルは各ピン５，５・・の間を通して収容される。電子機器には色々な電子部品を装着した回路基板がシャーシ上に取着され、又回路基板ではなくシャーシ上に直接取付けられる場合もある。これら各電子部品に接続されるケーブルがシャーシ上に煩雑に置かれないように本発明の固定具が使用される。図１に示す固定具１は、蓋２とシャーシ６との間にケーブルが収容されることで、シャーシ６から大きく突出することはない。
【００１４】
図３は本発明に係る固定具を表す別形態である。同図の固定具１はベース１０を備え、該ベース１０に蓋１１を開閉可能に取付けている。ベース１０の一方側には肉厚を薄くした継手部１２，１２を介して蓋１１が連結し、ベース１０の他方側には係合部１３，１３を設けている。係合部１３は所定の間隔をおいて起立した２枚の板片１４ａ，１４ｂから成り、板片１４ｂの先端にはツメ１５を形成している。
【００１５】
そして、蓋１１の先端側には嵌入片１６，１６をベース側へ延ばし、嵌入片１６，１６の先端にはツメ１７，１７が形成されている。又、ベース１０には複数のピン５，５・・が起立し、各ピン５，５・・は縦・横方向に配列している。図３に示す固定具１では蓋１１が開いた状態であるが、上から押圧するならば閉じることが出来る。蓋１１を閉じるならば、嵌入片１６，１６が係合部１３，１３の両板片１４ａ，１４ｂ・・の間に嵌入し、嵌入片１６，１６の先端に形成したツメ１７，１７は板片１４ｂ，１４ｂの先端に設けたツメ１５，１５に係止してロックされる。
【００１６】
一方、ベース１０の一方側には概略Ｌ形の係合部１８，１８が両側に設けられ、他方側には概略Ｕ形の係止部１９，１９が設けられている。これら係合部１８，１８、及び係止部１９，１９は前記図１に示した固定具１の係合部３，３、及び係止部４，４と同じである。従って、該固定具１はシャーシ６に取付けられるが、シャーシ６には穴７ａ，７ｂ・・が設けられ、これら穴７ａ，７ｂ・・に係合部１８，１８係合し、及び係止部１９，１９が係止して取付けられる。
【００１７】
概略Ｕ形の係止部１９は係止片２０を押すことで撓み変形することが出来るように底に薄肉部が形成され、穴７ｂに係止した係止部１９が外れないようにツメ２１を外方向へ突出している。すなわち、ツメ２１は穴７ｂの縁に係止して外れないようになる。又、撓み変形して穴７ｂに係止した係止片２０は元の形状に復元するために穴７ｂの縁を押圧し、ツメ２１は該縁に必ず係止することが出来る。
【００１８】
そして、係止片２０の弾性復元力は固定具１を係合部１８側へ押圧し、係合部１８が穴７ａの縁に当って位置決めされる。従って、穴７ａ，７ｂ・・に取付けられた固定具１はガタ付くことなく安定した取付けが行われる。ところで、各ケーブルはベース１０に起立したピン５，５・・の間を通って収容され、その状態で蓋１１が閉じられる。このように、ベース１０と蓋１１とで構成した固定具１では、ケーブルを各ピン５，５・・の間に配置してから蓋１１を閉じることが出来る。従って、該ケーブルの収容作業がし易くなる。
【００１９】
図４は図３の固定具１を表している平面図、正面図、右側面図、左側面図・・を示している。そして、図５の(ａ)はシャーシ６の一部を表し、該シャーシ６には穴７ａ，７ａ，７ｂ，７ｂが貫通して設けられている。(ｂ)及び(ｃ)は上記穴７ａ，７ａに係合部１８，１８を係合し，穴７ｂ，７ｂに係止部１９，１９を係止して固定具１を取付けた場合であり、(ｂ)は平面図、(ｃ)は断面図を示している。
【００２０】
図６はケーブル２２を固定具１に起立したピン５，５・・の間に嵌めて収容した場合を表している。
図６(ａ)は２本のケーブル２２ａ，２２ｂを横方向へ平行に収容している。
図６(ｂ)は３本のケーブル２２ａ，２２ｂ，２２ｃを縦方向へ平行に収容している。
図６(ｃ)は２本のケーブル２２ａ，２２ｂを斜め方向に平行に収容している。
図６(ｄ)は１本のケーブル２２を各ピン５，５・・に係止してジグザグ状に収容している。
【図面の簡単な説明】
【００２１】
【図１】本発明に係るケーブル固定具の実施例。
【図２】固定具をシャーシに取付けた場合。
【図３】本発明に係るケーブル固定具を表す斜視図。
【図４】図３に示すケーブル固定具の平面図、正面図、右側面図、左側面図、及び底面図。
【図５】ケーブル固定具をシャーシに取付けた場合。
【図６】固定具に収容したケーブルの状態。
【符号の説明】
【００２２】
１  固定具
２  蓋
３  係合部
４  係止部
５  ピン
６  シャーシ
７  穴
８  係止片
９  ツメ
10  ベース
11  蓋
12  継手部
13  係合部
14  板片
15  ツメ
16  嵌入片
17  ツメ
18  係合部
19  係止部
20  係止片
21  ツメ
22  ケーブル
【図１】
2008086116.tif 000003
【図２】
2008086116.tif 000004
【図３】
2008086116.tif 000005
【図４】
2008086116.tif 000006
【図５】
2008086116.tif 000007
【図６】
2008086116.tif 000008